(57)【特許請求の範囲】
【請求項１】
電線の端末に接続された端子を収容するコネクタハウジングと、このコネクタハウジングに嵌合されて、該コネクタハウジングから引き出された前記電線を覆うカバーとを備えるカバー付コネクタであって、
前記コネクタハウジングは、コネクタハウジング本体と、該コネクタハウジング本体に連設されてその外部に配置された連結部を有し、
前記カバーは、カバー本体と、該カバー本体の内部に設けられ、前記カバーの前記コネクタハウジングとの嵌合時に前記連結部と連結される被連結部と、前記カバー本体に形成され、前記カバーの前記コネクタハウジングとの嵌合時に前記コネクタハウジング本体の前記連結部との境界に端部が位置して該連結部を被覆すると共に前記コネクタハウジング本体を前記カバーの外側に露出させる切り欠き部と、前記カバー本体に形成され、前記カバーの前記コネクタハウジングとの嵌合時に前記電線を前記カバー本体の外側に導出する導出開口部とを有しており、
前記コネクタハウジングと前記カバーとのうちいずれか一方は、前記コネクタハウジングに嵌合したカバーを前記コネクタハウジングから引き離す方向に対して直交する幅方向に前記一方から突設した規制リブを有し、
前記コネクタハウジングと前記カバーとのうちいずれか他方は、前記規制リブに対応する形状で形成されて、前記コネクタハウジングへの前記カバーの嵌合時に前記規制リブがその延在方向の端部から挿入される規制溝を有し、
前記規制リブは、前記一方からの突設方向と前記カバーの前記コネクタハウジングからの引き離し方向との双方と直交する方向に、一直線状に延在し、前記突設方向の基端から先端に向かうにしたがって幅が広くなるように形成されており、前記コネクタハウジングに前記カバーを嵌合した状態で、前記規制溝とこれに挿入した前記規制リブとにより、前記コネクタハウジングに対する前記カバーの嵌合解除が規制されることを特徴とするカバー付コネクタ。
【請求項２】
請求項１に記載のカバー付コネクタにおいて、
前記連結部及び前記被連結部は、前記コネクタハウジングに対して前記カバーを１８０度反転させて嵌合しても互いに連結するように、左右一対ずつそれぞれ設けられており、
前記導出開口部は、前記コネクタハウジングに対して前記カバーを反転して嵌合することで、前記電線を互いに異なる方向に導出することを特徴とするカバー付コネクタ。
【請求項３】
請求項１又は２に記載のカバー付コネクタにおいて、
前記カバー本体は、前記切り欠き部に隣接して形成された凹部を有することを特徴とするカバー付コネクタ。
【請求項４】
請求項１から請求項３のいずれか一項に記載のカバー付コネクタにおいて、
前記一方は、前記規制リブの前記延在方向と平行して延在し前記突設方向に前記一方から突設されたガイドリブを有し、
前記他方は、前記コネクタハウジングへの前記カバーの嵌合時に前記ガイドリブがその延在方向の端部から挿入されるガイド溝を有し、
前記規制リブと前記ガイドリブとは、それぞれの延在方向と直交する断面の形状が互いに異なることを特徴とするカバー付コネクタ。
【発明の詳細な説明】
【技術分野】
【０００１】
本発明は、コネクタハウジングから引き出された電線を覆って保護するカバーを備えたカバー付コネクタに関する。
【背景技術】
【０００２】
従来から、コネクタハウジングから引き出された電線を覆って保護するカバーを備えたカバー付コネクタとして、例えば、特開２００２−２５６８５号公報（特許文献１）に記載されたカバー付コネクタが提案されている。
【０００３】
このカバー付コネクタは、電線の端末に接続された端子を収容するコネクタハウジングと、このコネクタハウジングに嵌合されて、コネクタハウジングから引き出された電線を覆う保護カバーとから略構成されている。
【０００４】
コネクタハウジングは、電線を導出するスルーロック部と、電線の端末に接続された端子を収容する端子収容室と、この端子収容室に収容された端子と接続する相手側端子が収容された相手コネクタが嵌合される嵌合口とを有している。
【０００５】
保護カバーは、コネクタハウジングのスルーロック部を覆う基底部と、この基底部とヒンジを介して接続されて、基底部側に被せることで基底部に対して開閉可能に形成されたカバー部とを有している。
【０００６】
そして、このように構成されたカバー付コネクタは、基底部にコネクタハウジングのスルーロック部を組み付け、カバー部を基底部側に被せることにより、スルーロック部を覆うように保護カバーをコネクタハウジングに嵌合する。
【先行技術文献】
【特許文献】
【０００７】
【特許文献１】特開２００２−２５６８５号公報
【発明の概要】
【発明が解決しようとする課題】
【０００８】
ところで、上述したカバー付コネクタでは、コネクタハウジングのスルーロック部を利用して保護カバーをコネクタハウジングに嵌合する構成としている。そして、スルーロック部の機能を損なわないように、スルーロック部の全体を余裕を持って保護カバーで覆い、保護カバーの開口部からスルーロック部を一部露出させることができるようにしている。
【０００９】
このため、保護カバーは必然的に、コネクタハウジングのスルーロック部よりも大きい外形となる。したがって、スルーロック部に保護カバーを嵌合してカバー付コネクタを構成すると、スルーロック部の部分が全体的に一回り大型化し、スルーロック部を介してコネクタハウジングを取り付ける相手側に大きな取付スペースが必要となってしまう。このため、カバー付コネクタの大型化を極力抑制したいという要望があった。
【００１０】
そこで、本発明は、カバーをコネクタハウジングに嵌合した際の大型化を抑制することができるカバー付コネクタを提供することを目的とする。
【課題を解決するための手段】
【００１１】
上記目的を達成するため、本願請求項１に記載した本発明のカバー付コネクタは、電線の端末に接続された端子を収容するコネクタハウジングと、このコネクタハウジングに嵌合されて、該コネクタハウジングから引き出された前記電線を覆うカバーとを備えるカバー付コネクタであって、前記コネクタハウジングは、コネクタハウジング本体と、該コネクタハウジング本体に連設されてその外部に配置された連結部を有し、前記カバーは、カバー本体と、該カバー本体の内部に設けられ、前記カバーの前記コネクタハウジングとの嵌合時に前記連結部と連結される被連結部と、前記カバー本体に形成され、前記カバーの前記コネクタハウジングとの嵌合時に前記コネクタハウジング本体の前記連結部との境界に端部が位置して該連結部を被覆すると共に前記コネクタハウジング本体を前記カバーの外側に露出させる切り欠き部と、前記カバー本体に形成され、前記カバーの前記コネクタハウジングとの嵌合時に前記電線を前記カバー本体の外側に導出する導出開口部とを有することを特徴とする。
【００１２】
請求項２に記載した本発明のカバー付コネクタは、請求項１に記載のカバー付コネクタにおいて、前記連結部及び前記被連結部は、前記コネクタハウジングに対して前記カバーを１８０度反転させて嵌合しても互いに連結するように、左右一対ずつそれぞれ設けられており、前記導出開口部は、前記コネクタハウジングに対して前記カバーを反転して嵌合することで、前記電線を互いに異なる方向に導出することを特徴とする。
【００１３】
請求項３に記載した本発明のカバー付コネクタは、請求項１又は２に記載のカバー付コネクタにおいて、前記カバー本体は、前記切り欠き部に隣接して形成された凹部を有することを特徴とする。
【００１４】
なお、請求項１に記載した本発明のカバー付コネクタはさらに、前記コネクタハウジングと前記カバーとのうちいずれか一方は、前記コネクタハウジングに嵌合したカバーを前記コネクタハウジングから引き離す方向に対して直交する幅方向に前記一方から突設した規制リブを有し、前記コネクタハウジングと前記カバーとのうちいずれか他方は、前記規制リブに対応する形状で形成されて、前記コネクタハウジングへの前記カバーの嵌合時に前記規制リブがその延在方向の端部から挿入される規制溝を有し、前記規制リブは、前記一方からの突設方向と前記カバーの前記コネクタハウジングからの引き離し方向との双方と直交する方向に、一直線状に延在し、前記突設方向の基端から先端に向かうにしたがって幅が広くなるように形成されており、前記コネクタハウジングに前記カバーを嵌合した状態で、前記規制溝とこれに挿入した前記規制リブとにより、前記コネクタハウジングに対する前記カバーの嵌合解除が規制されることを特徴とする。
【００１５】
請求項４に記載した本発明のカバー付コネクタは、請求項１から請求項３のいずれか一項に記載のカバー付コネクタにおいて、前記一方は、前記規制リブの前記延在方向と平行して延在し前記突設方向に前記一方から突設されたガイドリブを有し、前記他方は、前記コネクタハウジングへの前記カバーの嵌合時に前記ガイドリブがその延在方向の端部から挿入されるガイド溝を有し、前記規制リブと前記ガイドリブとは、それぞれの延在方向と直交する断面の形状が互いに異なることを特徴とする。
【００１６】
請求項１に記載した本発明のカバー付コネクタによれば、カバーの嵌合によりコネクタハウジングのカバーと干渉する部分のうち、カバー本体の被連結部と連結したコネクタハウジングの連結部はカバー本体の内部に配置されるが、コネクタハウジング本体は、カバー本体の切り欠き部を介してカバーの外側に露出する。したがって、コネクタハウジングとの嵌合時にカバー本体が覆うのは、実質的にコネクタハウジングの連結部のみとなる。このため、カバーは、コネクタハウジングから導出された電線をカバーする部分と被連結部を配置する部分とを有する大きさであればよいことになる。よって、カバーがコネクタハウジングを覆う部分を最小限に抑えてカバーの大型化を極力阻止し、カバー付コネクタとしての大型化を抑制することができる。
【００１７】
従って、カバーをコネクタハウジングに嵌合した際の大型化を抑制することができるカバー付コネクタを提供することができる。
【００１８】
請求項２に記載した本発明のカバー付コネクタによれば、コネクタハウジングに対してカバーを１８０度反転させても、コネクタハウジングの連結部とカバーの被連結部とを連結させることができる。このため、カバーをコネクタハウジングに１８０度反転させて嵌合することにより、カバーの導出開口部から導出される電線の向きを異なる方向に変更することができる。
【００１９】
請求項３に記載した本発明のカバー付コネクタによれば、カバーをコネクタハウジングに嵌合すると、カバー本体の切り欠き部から外側に露出するコネクタハウジング本体の部分に、カバー本体の凹部が隣接する。したがって、コネクタハウジングにカバーを嵌合したカバー付コネクタの相手方コネクタ等に対する接続、離脱操作を、凹部の開口縁に形成される段差に指をかける等して容易に行うことができる。
【００２０】
また、請求項１に記載した本発明のカバー付コネクタによれば、コネクタハウジングとカバーとのうちいずれか一方の規制リブは、カバーをコネクタハウジングから引き離す方向に対して直交する方向に、一方から突設して、突設方向における基端から先端に向かうにしたがって幅が広くなるように形成されている。また、この規制リブに対応する形状で、コネクタハウジングとカバーとのうちいずれか他方に規制溝が形成されている。このため、カバーに、コネクタハウジングから引き離す方向への引張力を含むねじれ力が加わった場合に、規制リブが規制溝から外れることがない。従って、ねじれ力に対するカバー保持力を向上することができる。
【００２１】
請求項４に記載した本発明のカバー付コネクタによれば、コネクタハウジングとカバーとのうちいずれか他方には、規制リブとは異なる断面形状を有するガイドリブが挿入されるガイド溝を有している。このため、規制リブがガイド溝に挿入されようとすると、互いの断面形状の違いから、カバーが誤った位置に嵌合されていることを検知することができ、カバーが誤った位置に嵌合されることを防止することができる。
【発明の効果】
【００２２】
本発明によれば、カバーをコネクタハウジングに嵌合した際の大型化を抑制することができるカバー付コネクタを提供することができる。
【図面の簡単な説明】
【００２３】
【図１】本発明の実施形態に係るカバー付コネクタを示す正面図である。
【図２】図１のコネクタハウジングを示す平面図である。
【図３】図１のカバーを示す展開状態の平面図である。
【図４】本発明の実施形態に係るカバー付コネクタを示す側面図である。
【図５】本発明の実施形態に係るカバー付コネクタを構成する凹部の段差を示す断面図である。
【発明を実施するための形態】
【００２４】
以下、本発明の実施形態に係るカバー付コネクタについて図面を参照して説明する。はじめに、図１を参照して、本発明の実施形態に係るカバー付コネクタについて説明する。
【００２５】
本発明の実施形態に係るカバー付コネクタ１は、電線に接続された端子（図示省略）を収容するコネクタハウジング１１と、このコネクタハウジング１１に嵌合されて、コネクタハウジング１１から引き出された電線（図示省略）を覆うカバー２１とを備える。
【００２６】
次に、図２を参照して、本発明の実施形態に係るカバー付コネクタを構成するコネクタハウジングについて詳細に説明する。図２は、図１のコネクタハウジングを示す平面図である。
【００２７】
図２に示すように、コネクタハウジング１１は、複数の端子を収容する端子収容室１２を有するコネクタハウジング本体１３と、このコネクタハウジング本体１３に連設されてその外部に配置された連結部１４とを有している。
【００２８】
コネクタハウジング本体１３は、端子収容室１２に収容された複数の端子（図示省略）と接続する端子を収容した相手側コネクタハウジング（図示省略）が挿入される挿入口１５を有している。
【００２９】
連結部１４は、コネクタハウジング１１に後述する図３のカバー２１を嵌合するために、コネクタハウジング本体１３のカバー２１が嵌合される側（図２中上方の左右両側にそれぞれ設けられている。各連結部１４は、規制リブ１６とガイドリブ１７とを有している。
【００３０】
規制リブ１６は、コネクタハウジング１１に嵌合したカバー２１（後述する図３参照）をコネクタハウジング１１から引き離す方向（図１の矢印Ｙ方向）に対して直交する方向（図１の矢印Ｘ及び矢印Ｘ´方向）に、コネクタハウジング本体１３から突設されている。そして、突設方向（図１の矢印Ｘ及び矢印Ｘ´方向）とカバー２１のコネクタハウジング１１からの引き離し方向（図１の矢印Ｙ方向）との双方と直交する方向（図１の矢印Ｚ方向）に一直線状に延在している。また、規制リブ１６は、その突設方向（図１の矢印Ｘ及びＸ´方向）の基端１６ａから先端１６ｂに向かうにしたがって幅が広くなるように形成されている。
【００３１】
この規制リブ１６は、後で図３を参照して説明するカバー２１の規制溝２６に端部１６ｃから挿入することにより、規制溝２６と協働して、コネクタハウジング１１に対するカバー２１の嵌合解除を規制する。
【００３２】
また、ガイドリブ１７は、図１及び図２に示すように、規制リブ１６と同じ方向（図１の矢印Ｘ及び矢印Ｘ´方向）に、コネクタハウジング本体１３から突設されている。そして、規制リブ１６と平行して、突設方向（図１の矢印Ｘ及び矢印Ｘ´方向）とカバー２１のコネクタハウジング１１からの引き離し方向（図１の矢印Ｙ方向）との双方と直交する方向（図１の矢印Ｚ方向）に一直線状に延在している。また、ガイドリブ１７は、図２に示すように、その突設方向（図１の矢印Ｘ及びＸ´方向）の基端１７ａから先端１７ｂまでに亘って同一幅に形成されている。
【００３３】
このガイドリブ１７は、規制リブ１６を図３に示すカバー２１の規制溝２６に端部１６ｃから挿入する際に、図３に示すカバー２１のガイド溝２７に端部１７ｃ（図２参照）から挿入される。
【００３４】
上述した規制リブ１６とガイドリブ１７とは、それぞれの延在方向（図１の矢印Ｚ方向）と直交する断面の形状が互いに異なるように形成されている。つまり、規制リブ１６の断面形状は、略台形形状を有しているが、ガイドリブ１７の断面形状は、略長方形形状を有している。
【００３５】
次に、図３を参照して、本発明の実施形態に係るカバー付コネクタの構成するカバーについて詳細に説明する。図３は、本発明の実施形態に係るカバーを示す展開状態の平面図である。
【００３６】
図３に示すように、カバー２１は、カバー本体２２と、カバー本体２２の内部に設けられ、カバー２１のコネクタハウジング１１（図１及び図２参照）との嵌合時に連結部１４（図２参照）と連結される被連結部２３とを有している。
【００３７】
カバー本体２２は、第１カバー本体２２ａと第２カバー本体２２ｂとを有しており、第１カバー本体２２ａと第２カバー本体２２ｂとは、ヒンジ２４を介して接続されており、開口された状態の第１カバー本体２２ａと第２カバー本体２２ｂとを折り重ね可能に構成されている。
【００３８】
このカバー本体２２（第１カバー本体２２ａ、第２カバー本体２２ｂ）には、コネクタハウジング１１（図２参照）との嵌合時に電線（図示省略）をカバー本体２２（図２参照）の外側に導出する細長いドーム状（箱形）の導出開口部２５が形成されている。
【００３９】
被連結部２３は、規制リブ１６（図２参照）に対応する形状で形成されて、コネクタハウジング１１（図２参照）へのカバー２１の嵌合時に規制リブ１６がその延在方向（図１の矢印Ｚ方向）の端部１６ｃ（図２参照）から挿入される左右一対ずつの規制溝２６を有している。
【００４０】
この規制溝２６には、コネクタハウジング１１（図２参照）にカバー２１を嵌合した状態（例えば、図１に示す状態）で、規制リブ１６が端部１６ｃ（図２参照）から挿入されることにより、コネクタハウジング１１に対するカバー２１の嵌合解除が規制される。
【００４１】
また、被連結部２３は、コネクタハウジング１１（図２参照）へのカバー２１の嵌合時にガイドリブ１７（図２参照）がその延在方向の端部１７ｃ（図２参照）から挿入される左右一対ずつのガイド溝２７を有している。
【００４２】
このガイド溝２７には、コネクタハウジング１１（図２参照）にカバー２１を嵌合した状態（例えば、図１に示す状態）で、規制リブ１６が端部１６ｃ（図２参照）から挿入される。
【００４３】
コネクタハウジング１１（図２参照）の連結部１４をカバー２１の被連結部２３と連結する際に、カバー２１をコネクタハウジング１１に対して反転させることで、カバー本体２２の導出開口部２５のコネクタハウジング１１に対する向きを変えて、電線（図示省略）を互いに異なる方向に導出することができる。
【００４４】
さらに、カバー本体２２（第１カバー本体２２ａ、第２カバー本体２２ｂ）には、切り欠き部３２が形成されている。この切り欠き部３２の端部３１は、カバー２１をコネクタハウジング１１に嵌合した時に、コネクタハウジング本体１３と連結部１４（図２参照）との境界に位置する。コネクタハウジング１１の連結部１４は、第１カバー本体２２ａと第２カバー本体２２ｂとを折り重ねることで、被連結部２３と共にカバー本体２２により被覆される。この状態でも、コネクタハウジング本体１３（図２参照）はカバー２１の外側に露出する。
【００４５】
切り欠き部３２は、コネクタハウジング１１（図２参照）に対してカバーを１８０度反転させて嵌合しても互いに連結するように、第１カバー本体２２ａ、第２カバー本体２２ｂのどちらにもそれぞれ設けられている。
【００４６】
この切り欠き部３２は、コネクタハウジング１１（図２参照）が挿入される挿入方向に深さＡの長さ分を切り欠いた形状を有している。この深さＡの部分は、図１に示すようにカバー２１をコネクタハウジング１１に嵌合することで、コネクタハウジング１１の連結部１４を覆って連結部１４と重なって位置する。このため、コネクタハウジング１１にカバー２１を嵌合した際に、カバー２１の長さは、実質的に、図３に示す長さＢとなる。
【００４７】
つまり、切り欠き部３２は、図３に示す深さＡの分だけ切り欠いた形状を有しているため、コネクタハウジング１１に嵌合したときのカバー２１の実質的な長さは深さＡの分だけ短くなり、カバー付コネクタ１の全長Ｃ（図１参照）が深さＡの分だけ短くなる。
【００４８】
また、カバー本体２２（第１カバー本体２２ａ、第２カバー本体２２ｂ）は、この切り欠き部３２に隣接して形成された凹部３３を有している。
【００４９】
凹部３３は、凹部３３の開口縁３４に形成される段差に指をかける等することにより、コネクタハウジング１１（図２参照）にカバー２１を嵌合したカバー付コネクタ１の相手方コネクタ（図示省略）等に対する接続、離脱操作を、容易にすることが可能に構成されている。
【００５０】
次に、図１から図３に加えて図４及び図５を参照して、本発明の実施形態に係るカバー付コネクタを構成するコネクタハウジングにカバーを嵌合する際の嵌合作業とカバー付コネクタの作用効果について説明する。
【００５１】
図４は、図１のカバー付コネクタを示す側面図である。図５は、図４の凹部で構成される段差を示す断面図である。
【００５２】
図１から図５に示すように、コネクタハウジング１１の挿入口１５（図２参照）から相手側コネクタハウジング（図示省略）が挿入されたコネクタハウジング１１にカバー２１を嵌合する。
【００５３】
そして、相手側コネクタハウジングに収容された端子（図示省略）に接続したコネクタハウジング１１の端子収容室１２（図２参照）に収容された端子の電線（図示省略）をコネクタハウジング１１から引き出して、カバー２１の導出開口部２５（図３）から電線を導出する。
【００５４】
カバー２１をコネクタハウジング１１に嵌合する際には、コネクタハウジング１１の連結部１４の規制リブ１６を、開口された状態（図３に示す状態）のカバー２１の第１カバー本体２２ａ又は第２カバー本体２２ｂの被連結部２３の規制溝２６に、端部１６ｃ（図２参照）から挿入する。その後、第２カバー本体２２ｂ又は第１カバー本体２２ａを被せて重ね合わせる際に、その被連結部２３の規制溝２６に規制リブ１６の残りの部分を挿入する。
【００５５】
これにより、コネクタハウジング１１にカバー２１が嵌合される。この状態では、規制溝２６とこれに挿入した規制リブ１６との係合により、コネクタハウジング１１に対するカバー２１の嵌合解除が規制される。
【００５６】
上述したように、カバー本体２２の切り欠き部３２は、カバー２１のコネクタハウジング１１との嵌合時にコネクタハウジング本体１３の連結部１４（図２参照）を被覆すると共に、切り欠き部３２の端部３１（図３参照）がコネクタハウジング本体１３と連結部１４との境界に位置して、コネクタハウジング本体１３をカバー２１の外側に露出させる。
【００５７】
このため、コネクタハウジング１１にカバー２１を嵌合すると、カバー２１の長さは図３に示す深さＡの分だけ短くなり、カバー２１の長さは図３に示す長さＢとなる。これにより、図１に示すように、カバー付コネクタ１の全長Ｃが図３に示す深さＡの分だけ短くなる。
【００５８】
また、カバー本体２２には、切り欠き部３２（図３参照）が形成されているため、コネクタハウジング１１の外周をカバー２１が覆う必要がなく、図４に示すように、カバー付コネクタ１の幅Ｄの大きさが大きくなることを抑制することができる。
【００５９】
つまり、カバー２１の嵌合によりコネクタハウジング１１のカバー２１と干渉する部分のうち、カバー本体２２の被連結部２３と連結したコネクタハウジング１１の連結部１４はカバー本体２２の内部に配置されるが、コネクタハウジング本体１３は、カバー本体２２の切り欠き部３２を介してカバー２１の外側に露出する。したがって、コネクタハウジング１１との嵌合時にカバー本体２２が覆うのは、実質的にコネクタハウジング１１の連結部１４のみとなる。
【００６０】
このため、カバー２１は、コネクタハウジング１１から導出された電線をカバーする部分と被連結部２３を配置する部分とを有する大きさであればよいことになる。よって、カバー２１がコネクタハウジング１１を覆う部分を最小限に抑えてカバー２１の大型化を極力阻止し、カバー付コネクタ１としての大型化を抑制することができる。
【００６１】
また、上述したように、コネクタハウジング１１に対してカバー２１を１８０度反転させても、コネクタハウジング１１の連結部１４とカバー２１の被連結部２３とを連結させることができる。このため、カバー２１をコネクタハウジング１１に１８０度反転させて嵌合することにより、カバー２１の導出開口部２５から導出される電線の向きを異なる方向に変更することができる。
【００６２】
また、図５に示すように、カバー２１をコネクタハウジング１１に嵌合すると、カバー本体２２の切り欠き部３２（図１参照）から外側に露出するコネクタハウジング本体１３の部分に、カバー本体２２の凹部３３が隣接する。
【００６３】
したがって、コネクタハウジング１１にカバー２１を嵌合したカバー付コネクタ１の相手方コネクタ等に対する接続、離脱操作を、凹部３３の開口縁３４（図３参照）に形成される段差に指をかける等して容易に行うことができる。
【００６４】
上述したように、コネクタハウジング１１の規制リブ１６は、カバー２１をコネクタハウジング１１から引き離す方向（図２の矢印Ｙ方向）に対して直交する方向に突設して、突設方向（図１の矢印Ｘ及びＸ´方向）における基端１６ａから先端１６ｂに向かうにしたがって幅が広くなるように形成されている。また、この規制リブ１６に対応する形状で、カバー２１に規制溝２６が形成されている（図２及び図３参照）。
【００６５】
このため、カバー２１に、コネクタハウジング１１から引き離す方向（図１の矢印Ｙ方向）への引張力を含むねじれ力が加わった場合に、基端１６ａ側が細く先端１６ｂ側が太いくさび状の断面形状を有する規制リブ１６が、対応する断面形状の規制溝２６から外れることがない（図２及び図３参照）。従って、ねじれ力に対するカバー保持力を向上することができる。
【００６６】
なお、連結部１４の規制リブ１６を規制溝２６に挿入するときには、これと同時に、連結部１４のガイドリブ１７を、展開された状態（図３に示す状態）の第１カバー本体２２ａ又は第２カバー本体２２ｂの被連結部２３のガイド溝２７に、端部１７ｃ（図２参照）から挿入する。その後、第２カバー本体２２ｂ又は第１カバー本体２２ａを被せて重ね合わせる際に、その被連結部２３のガイド溝２７にガイドリブ１７の残りの部分を挿入する。
【００６７】
ここで、ガイドリブ１７及びガイド溝２７は、上述したように、規制リブ１６及び規制溝２６とは異なる断面形状を有している。つまり、規制リブ１６の断面形状は、略台形形状を有しているが、ガイドリブ１７の断面形状は、略長方形形状を有している。
【００６８】
このため、規制リブ１６を誤ってガイド溝２７に挿入しようとしても、互いの断面形状の違いから挿入できない。このため、カバー２１が誤った位置に嵌合されることを防止することができる。
【００６９】
このようにして、本発明の実施形態に係るカバー付コネクタ１は、電線の端末に接続された端子を収容するコネクタハウジング１１と、このコネクタハウジング１１に嵌合されて、コネクタハウジング１１から引き出された電線を覆うカバー２１とを備えるカバー付コネクタ１であって、コネクタハウジング１１は、コネクタハウジング本体１３と、コネクタハウジング本体１３に連設されてその外部に配置された連結部１４を有し、カバー２１は、カバー本体２２と、カバー本体２２の内部に設けられ、カバー２１のコネクタハウジング１１との嵌合時に連結部１４と連結される被連結部２３と、カバー本体２２に形成され、カバー２１のコネクタハウジング１１との嵌合時にコネクタハウジング本体１３の連結部１４との境界に端部３１が位置して連結部１４を被覆すると共にコネクタハウジング本体１３をカバー２１の外側に露出させる切り欠き部３２と、カバー本体２２に形成され、カバー２１のコネクタハウジング１１との嵌合時に電線をカバー本体２２の外側に導出する導出開口部２５とを有する。
【００７０】
また、本発明の実施形態に係るカバー付コネクタ１は、連結部１４及び被連結部２３は、コネクタハウジング１１に対してカバー２１を１８０度反転させて嵌合しても互いに連結するように、左右一対ずつそれぞれ設けられており、導出開口部２５は、コネクタハウジング１１に対してカバー２１を反転して嵌合することで、電線を互いに異なる方向に導出する。
【００７１】
さらに、本発明の実施形態に係るカバー付コネクタ１は、カバー本体２２は、切り欠き部３２に隣接して形成された凹部３３を有する。
【００７２】
また、本発明の実施形態に係るカバー付コネクタ１は、コネクタハウジング１１は、コネクタハウジング１１に嵌合したカバー２１をコネクタハウジング１１から引き離す方向に対して直交する幅方向に一方から突設した規制リブ１６を有し、カバー２１は、規制リブ１６に対応する形状で形成されて、コネクタハウジング１１へのカバー２１の嵌合時に規制リブ１６がその延在方向の端部から挿入される規制溝２６を有し、規制リブ１６は、コネクタハウジング１１からの突設方向とカバー２１のコネクタハウジング１１からの引き離し方向との双方と直交する方向に、一直線状に延在し、突設方向の基端１６ａから先端１６ｂに向かうにしたがって幅が広くなるように形成されており、コネクタハウジング１１にカバー２１を嵌合した状態で、規制溝２６とこれに挿入した規制リブ１６とにより、コネクタハウジング１１に対するカバー２１の嵌合解除が規制される。
【００７３】
さらに、本発明の実施形態に係るカバー付コネクタ１は、コネクタハウジング１１は、規制リブ１６の延在方向と平行して延在し、規制リブ１６の突設方向にコネクタハウジング１１から突設されたガイドリブ１７を有し、カバー２１は、コネクタハウジング１１へのカバー２１の嵌合時にガイドリブ１７がその延在方向の端部から挿入されるガイド溝２７を有し、規制リブ１６とガイドリブ１７とは、それぞれの延在方向と直交する断面の形状が互いに異なる。
【００７４】
そして、本発明の実施形態に係るカバー付コネクタ１によれば、カバー２１の嵌合によりコネクタハウジング１１のカバー２１と干渉する部分のうち、カバー本体２２の被連結部２３と連結したコネクタハウジング１１の連結部１４はカバー本体２２の内部に配置されるが、コネクタハウジング本体１３は、カバー本体２２の切り欠き部３２を介してカバー２１の外側に露出する。したがって、コネクタハウジング１１との嵌合時にカバー本体２２が覆うのは、実質的にコネクタハウジング１１の連結部１４のみとなる。このため、カバー２１は、コネクタハウジング１１から導出された電線をカバーする部分と被連結部２３を配置する部分とを有する大きさであればよいことになる。よって、カバー２１がコネクタハウジング１１を覆う部分を最小限に抑えてカバー２１の大型化を極力阻止し、カバー付コネクタ１としての大型化を抑制することができる。
【００７５】
また、本発明の実施形態に係るカバー付コネクタ１によれば、コネクタハウジング１１に対してカバー２１を１８０度反転させても、コネクタハウジング１１の連結部１４とカバー２１の被連結部２３とを連結させることができる。このため、カバー２１をコネクタハウジング１１に１８０度反転させて嵌合することにより、カバー２１の導出開口部２５から導出される電線の向きを異なる方向に変更することができる。
【００７６】
さらに、本発明の実施形態に係るカバー付コネクタ１によれば、カバー２１をコネクタハウジング１１に嵌合すると、カバー本体２２の切り欠き部３２（図１参照）から外側に露出するコネクタハウジング本体１３の部分に、カバー本体２２の凹部３３が隣接する。したがって、コネクタハウジング１１にカバー２１を嵌合したカバー付コネクタ１の相手方コネクタ等に対する接続、離脱操作を、凹部３３の開口縁３４（図１及び図３参照）に形成される段差に指をかける等して容易に行うことができる。
【００７７】
また、本発明の実施形態に係るカバー付コネクタ１によれば、コネクタハウジング１１の規制リブ１６は、カバー２１をコネクタハウジング１１から引き離す方向（図１の矢印Ｙ方向）に対して直交する方向（図２の矢印Ｘ及び矢印Ｘ´方向）に、コネクタハウジング１１から突設して、突設方向（図１の矢印Ｘ及び矢印Ｘ´方向）における基端１６ａから先端１６ｂに向かうにしたがって幅が広くなるように形成されている。また、この規制リブ１６に対応する形状で、カバー２１に規制溝２６が形成されている。このため、カバー２１に、コネクタハウジング１１から引き離す方向（図１の矢印Ｙ方向）への引張力を含むねじれ力が加わった場合に、規制リブ１６が規制溝２６から外れることがない。従って、ねじれ力に対するカバー保持力を向上することができる。
【００７８】
さらに、本発明の実施形態に係るカバー付コネクタ１によれば、コネクタハウジング１１は、規制リブ１６の延在方向と平行して延在し、規制リブ１６の突設方向にコネクタハウジング１１から突設されたガイドリブ１７を有し、カバー２１は、規制リブ１６とは異なる断面形状を有するガイドリブ１７が挿入されるガイド溝２７を有している。このため、規制リブ１６がガイド溝２７に挿入されようとすると、互いの断面形状の違いから挿入できない。このため、カバー２１が誤った位置に嵌合されることを防止することができる。
【００７９】
以上、本発明のカバー付コネクタを図示の実施形態に基づいて説明したが、本発明はこれに限定されるものではなく、各部の構成は、同様の機能を有する任意の構成のものに置き換えることができる。
【００８０】
例えば、本発明の実施形態では、規制リブ１６はコネクタハウジング１１に設けられ、規制溝２６は、カバー２１に設けられている場合について説明したが、規制リブ１６がカバー２１に設けられ、規制溝２６がコネクタハウジング１１に設けられていても良い。
【００８１】
また、例えば、本発明の実施形態では、ガイドリブ１７はコネクタハウジング１１に設けられ、ガイド溝２７は、カバー２１に設けられている場合について説明したが、ガイドリブ１７がカバー２１に設けられ、ガイド溝２７がコネクタハウジング１１に設けられていても良い。
【産業上の利用可能性】
【００８２】
本発明は、電線に接続された端子を収容するコネクタハウジングに、コネクタハウジングから引き出された電線を覆うカバーを嵌合するカバー付コネクタに極めて有用である。
【符号の説明】
【００８３】
１    カバー付コネクタ
１１  コネクタハウジング
１２  端子収容室
１３  コネクタハウジング本体
１４  連結部
１５  挿入口
１６  規制リブ
１６ａ  基端
１６ｂ  先端
１７  ガイドリブ
２１  カバー
２２  カバー本体
２３  被連結部
２４  ヒンジ
２５  導出開口部
２６  規制溝
２７  ガイド溝
３１  端部
３２  切り欠き部
３３  凹部
３４  開口縁
【図１】
0005758742.tif 000002
【図２】
0005758742.tif 000003
【図３】
0005758742.tif 000004
【図４】
0005758742.tif 000005
【図５】
0005758742.tif 000006